(57)【特許請求の範囲】
【請求項１】
所定のフォームを用い、電子ペンにより認識可能なドットパターンを配置した帳票を複数の利用者のために製造する電子ペン用帳票製造方法であって、
各帳票にフォーム及び利用者を設定する設定工程と、
前記ドットパターンの一部を利用者エリアに設定する利用者エリア設定工程と、
前記利用者エリアとは異なる前記ドットパターンの一部をフォームエリアに設定するフォームエリア設定工程と、
前記利用者エリアから、利用者毎にそれぞれ異なるドットパターンを割り当てる利用者割当工程と、
前記フォームエリアから、フォーム毎にそれぞれ異なるドットパターンを割り当てるフォーム割当工程と、
前記設定工程による設定に基づいて、前記フォーム割当工程が割り当てたドットパターンと、前記利用者割当工程が割り当てたドットパターンとを前記各帳票に配置する配置工程と、
前記フォームに対応する図案に関するデザインデータと、前記配置工程が配置したドットパターンとをプリンタによって前記各帳票に印刷するプリンタ印刷工程と
を有することを特徴とする電子ペン用帳票製造方法。
【請求項２】
複数の項目から構成されており、電子ペンにより認識可能なドットパターンを配置した帳票を複数の利用者のために製造する電子ペン用帳票製造方法であって、
各帳票に利用者を設定する設定工程と、
各帳票を構成する項目に関する情報である項目情報を取得する項目情報取得工程と、
前記ドットパターンの一部を利用者エリアに設定する利用者エリア設定工程と、
前記利用者エリアとは異なる前記ドットパターンの一部を項目エリアに設定する項目エリア設定工程と、
前記利用者エリアから、利用者毎にそれぞれ異なるドットパターンを割り当てる利用者割当工程と、
前記項目エリアから、項目毎にそれぞれ異なるドットパターンを割り当てる項目割当工程と、
前記設定工程による設定及び前記項目情報に基づいて、前記利用者割当工程が割り当てたドットパターンと、前記項目割当工程が割り当てたドットパターンとを前記帳票に配置する配置工程と、
前記項目に対応する図案に関するデザインデータと、前記配置工程が配置したドットパターンとをプリンタによって前記各帳票に印刷するプリンタ印刷工程と
を有することを特徴とする電子ペン用帳票製造方法。
【請求項３】
前記項目は、複数のフィールドから構成されており、
各項目にフィールドを定義する定義工程をさらに備えることを特徴とする請求項２に記載の電子ペン用帳票製造方法。
【請求項４】
前記設定工程は、各帳票に１人の利用者を設定することを特徴とする請求項１乃至３のいずれか一項に記載の電子ペン用帳票製造方法。
【発明の詳細な説明】
【技術分野】
【０００１】
本発明は、電子ペン用帳票の製造技術に関する。
【背景技術】
【０００２】
近年、「電子ペン」、「デジタルペン」などと呼ばれるペン型入力デバイスが登場しており（以下、本明細書では「電子ペン」と呼ぶ。）、その代表的なものとしてスウェーデンのAnoto社が開発した「アノトペン（Anoto pen）」が知られている。アノトペンは、所定のドットパターンが印刷された専用紙（以下、「専用ペーパー」と呼ぶ。）とペアで使用される。アノトペンは、通常のインクタイプのペン先部に加えて、専用紙上のドットパターンを読み取るための小型カメラと、データ通信ユニットを搭載している。利用者が専用紙上にアノトペンで文字などを書いたり、専用紙上に図案化されている画像をチェックしたりすると、ペンの移動に伴って小型カメラが専用紙上のドットパターンを検出し、利用者が書き込んだ文字、画像などの記入データ（「ストロークデータ」ともいう）が取得される。この記入データが、データ通信ユニットによりアノトペンから近くのパーソナルコンピュータや携帯電話などの端末装置に送信される。このアノトペンを利用したシステムは、キーボードに代わる入力デバイスとして利用することが可能であり、上述のパーソナルコンピュータやキーボードの使用に抵抗がある利用者にとっては非常に使いやすい。
【０００３】
従来、電子ペン用帳票を製造するには、そのドットパターンの再現精度の問題からオフセット印刷を行うことが通例であった。しかし、オフセット印刷によって製造された電子ペン用帳票は、「複製」のため、同じ図案の帳票全てが同じドットパターンを持つことになる。即ち、物理的に異なる電子ペン用帳票であっても、電子ペンは同じ電子ペン用帳票として認識してしまう。
【０００４】
そのため、従来の電子ペン用帳票では、電子ペンが同じ図案の２枚の電子ペン用帳票を別々に認識することができず、データが混在する危険性があった。この問題を解決するため、各電子ペン用帳票にＩＤ等を記入して個別識別する手法が利用されているが、ＩＤを記入し忘れたり、誤ったＩＤを記入したりすると、誰が記入したものであるか分からなくなりデータが混在してしまう。また、従来の電子ペン用帳票は、オフセット印刷による複製のため、頻繁なデザイン変更や多品種小ロットへの対応ができないという問題もあった。
【発明の開示】
【発明が解決しようとする課題】
【０００５】
本発明は、以上の点に鑑みてなされたものであり、１枚毎に個別識別可能な電子ペン用帳票の製造方法を提供することを課題とする。
【課題を解決するための手段】
【０００６】
本発明の１つの観点では、所定のフォームを用い、電子ペンにより認識可能なドットパターンを配置した帳票を複数の利用者のために製造する電子ペン用帳票製造方法であって、各帳票にフォーム及び利用者を設定する設定工程と、前記ドットパターンの一部を利用者エリアに設定する利用者エリア設定工程と、前記利用者エリアとは異なる前記ドットパターンの一部をフォームエリアに設定するフォームエリア設定工程と、前記利用者エリアから、利用者毎にそれぞれ異なるドットパターンを割り当てる利用者割当工程と、前記フォームエリアから、フォーム毎にそれぞれ異なるドットパターンを割り当てるフォーム割当工程と、前記設定工程による設定に基づいて、前記フォーム割当工程が割り当てたドットパターンと、前記利用者割当工程が割り当てたドットパターンとを前記各帳票に配置する配置工程と、前記フォームに対応する図案に関するデザインデータと、前記配置工程が配置したドットパターンとをプリンタによって前記各帳票に印刷するプリンタ印刷工程とを有する。
【０００７】
上記電子ペン用帳票製造方法によれば、帳票は、複数のフォームを有しており、フォーム毎にそれぞれ異なるドットパターンが配置される。具体的には、オリジナルドットパターンエリアから、フォーム毎に重複しないようにドットパターンを割り当てて決定し、決定したドットパターンを各帳票に配置する。ここで、オリジナルドットパターンエリアとは、予め決まったドットパターンで構成されており、各ドットパターンが重複することはないものである。換言すると、オリジナルドットパターンエリアは、各帳票へプリンタ印刷するドットパターンの元である。そして、各帳票に配置されたドットパターンと、各フォームに対応する図案とをプリンタにより紙媒体の帳票に印刷することで電子ペン用帳票を製造する。このように、ドットパターンをフォーム毎に異なるものとすることで、電子ペンは各電子ペン用帳票のフォームを容易に認識することができる。
【０００８】
なお、通常の印刷とプリンタによるプリントを区別するため、通常の印刷を「オフセット印刷」、プリンタによるプリントを「プリンタ印刷」と呼ぶ。
【００１２】
本発明の別の観点では、複数の項目から構成されており、電子ペンにより認識可能なドットパターンを配置した帳票を複数の利用者のために製造する電子ペン用帳票製造方法であって、各帳票に利用者を設定する設定工程と、各帳票を構成する項目に関する情報である項目情報を取得する項目情報取得工程と、前記ドットパターンの一部を利用者エリアに設定する利用者エリア設定工程と、前記利用者エリアとは異なる前記ドットパターンの一部を項目エリアに設定する項目エリア設定工程と、前記利用者エリアから、利用者毎にそれぞれ異なるドットパターンを割り当てる利用者割当工程と、前記項目エリアから、項目毎にそれぞれ異なるドットパターンを割り当てる項目割当工程と、前記設定工程による設定及び前記項目情報に基づいて、前記利用者割当工程が割り当てたドットパターンと、前記項目割当工程が割り当てたドットパターンとを前記帳票に配置する配置工程と、前記項目に対応する図案に関するデザインデータと、前記配置工程が配置したドットパターンとをプリンタによって前記各帳票に印刷するプリンタ印刷工程とを有する。
【００１３】
上記電子ペン用帳票製造方法では、このように、紙媒体の帳票に、項目割当工程が割り当てた項目を示すドットパターンと、利用者割当工程が割り当てた利用者を示すドットパターンとを配置することで、利用者の記入に基づいて項目や利用者等の情報を識別することが可能となる。よって、帳票内で項目のレイアウトが動的に変化する場合であっても、項目割当工程が割り当てたドットパターンを任意に配置することで容易に電子ペン用帳票を製造することが可能となる。
【００１４】
上記電子ペン用帳票製造方法の一態様では、前記項目は、複数のフィールドから構成されており、各項目にフィールドを定義する定義工程をさらに備える。これによれば、各帳票において項目のレイアウトが動的に変化する場合であっても、予めフィールド定義されたドットパターンを配置するだけで容易に対応することができる。即ち、帳票毎にフィールド定義を生成しなくても容易に電子ペン用帳票を製造することが可能となる。よって、本発明によれば、頻繁なデザイン変更や多品種小ロットへの対応を容易に行うことができる。
【００１５】
上記電子ペン用帳票製造方法の一態様では、前記設定工程は、各帳票に１人の利用者を設定する。これによれば、利用者割当工程が割り当てたドットパターンにより、利用者を１人ずつ確実に識別することができる。
【発明の効果】
【００２２】
本発明によれば、１枚毎に個別識別可能な電子ペン用帳票の製造方法を提供することができる。
【発明を実施するための最良の形態】
【００２３】
以下、図面を参照して本発明の好適な実施の形態について説明する。まず、本実施形態のシステムにおいて入力デバイスとして使用される電子ペンの概要について説明する。
【００２４】
［電子ペン］
図１は電子ペンの使用形態を模式的に示す図であり、図２は電子ペンの構造を示す機能ブロック図である。図１に示すように、電子ペン１０は、ドットパターンが印刷された専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００２５】
図２に示すように、電子ペン１０は、その内部にプロセッサ１１、メモリ１２、データ通信ユニット１３、バッテリー１４、ＬＥＤ１５、カメラ１６及び圧力センサ１８を備える。また、電子ペン１０は通常のインクペンと同様の構成要素としてインクカートリッジ（図示せず）などを有する。
【００２６】
電子ペン１０は、ペン先部１７により専用ペーパー２０上に描かれたインクの軌跡をデータ化するのではなく、専用ペーパー２０上で電子ペン１０が移動した軌跡座標をデータ化する。ＬＥＤ１５が専用ペーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２７】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、ＬＥＤ１５及びカメラ１６を作動する。
【００２８】
カメラ１６は専用ペーパー２０上のドットパターンを読み取り、そのパターンデータをプロセッサ１１に供給する。プロセッサ１１は、供給されたドットパターンから、専用ペーパー２０上でのＸ，Ｙ座標を算出する。
【００２９】
プロセッサ１１は、利用者の記述が行われる間に、筆圧の配列データ及びＸ，Ｙ座標データを取得し、タイムスタンプ（時間情報）と関連付けてメモリ１２に記憶していく。よって、メモリ１２内には利用者の記述内容に対応するデータが時系列で記憶されていく。メモリ１２の容量は例えば１Ｍバイト程度とすることができる。
【００３０】
利用者により送信指示がなされるまでは、取得された全てのデータはメモリ１２内に保持される。そして、利用者が送信指示を行うと、データ通信ユニット１３により、電子ペン１０と所定距離内にある端末装置２５へメモリ１２内のデータが送信される。基本的には、一度送信指示がなされると、電子ペン１０はメモリ１２内に記憶していた全てのデータを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００３１】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、データ通信ユニット１３にメモリ１２内のデータを供給し、端末装置２５への送信を行わせる。なお、電子ペン１０は、データの送信完了を電子ペンの振動により示すことができる。
【００３２】
バッテリー１４は電子ペン１０内の各要素に電源供給するためのものであり、例えば電子ペンのキャップ（図示せず）により電子ペン１０自体の電源のオン／オフを行うことができる。
【００３３】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３４】
なお、電子ペン１０の標準機能によれば、電子ペン１０により得られるデータは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。
【００３５】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、emailアドレス、空きメモリ容量、名称、住所、ファックス／電話番号、携帯電話番号などを保持することができる。
【００３６】
なお、上記の例におけるデータ通信ユニット１３では、Bluetooth（登録商標）の無線伝送、ＵＳＢケーブルを使用した有線伝送、端子などの接触によるデータ伝送など、各種の方法によって電子ペン１０から端末装置２５へのデータ送信を行うことが考えられる。
【００３７】
次に、電子ペンにより利用者が記述した内容のＸ，Ｙ座標データを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、ＬＥＤ１５による照明エリア及びカメラ１６の撮影エリア（照明エリア内に位置する）は、ペン先部１７が専用ペーパー２０に接触する位置とはずれている。
【００３８】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申込書などの帳票を作成する際は、専用インキ以外のインキで入力枠や罫線、注意書きなどを印刷する。
【００３９】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組合せにより、専用ペーパー上の位置座標が決定される。図４（ａ）に例示するように、縦横２mmの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２mm×２mmであり、カメラ１６は毎秒１００回程度の撮影を行う。
【００４０】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００４１】
図案３４の例を図６に示す。図６は、ある申込書３６の例であり、複数の記入欄３８や送信ボックス３９が印刷されている。図６には明確に図示されておらず、詳細は後述するが、実際にはドットパターンが申込書３６の全面に印刷されており、その上に記入欄３８や送信ボックス３９が通常のインキにより印刷されている。利用者は、ドットパターンを意識することなく、従来からある申込書と同様に、電子ペン１０を使用して必要事項を申込書３６の各記入欄３８に記入すればよい。
【００４２】
専用ペーパー２０上のエリアは大きく２種類のエリアに分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における送信ボックス３９がこれに該当する。
【００４３】
送信ボックス３９は前述したように電子ペン１０内に記憶されているデータを近傍の端末装置２５へ送信するための指示を行う際に使用される。利用者が送信ボックス３９内に電子ペン１０でチェックを入れると、電子ペン１０が送信ボックス内のドットパターンを読み取る。当該パターンは送信指示に対応付けられており、電子ペン１０内のプロセッサ１１はデータ通信ユニット１３にメモリ１２内の記憶データの送信命令を発する。
【００４４】
なお、利用者が電子ペン１０で申込書３６に必要事項を入力すると、その入力事項がその申込書のどの項目に対するものであるかを、申込書上の座標データから特定することが可能である。
【００４５】
このように、ドットパターンを印刷した専用ペーパー上に所定の図案を印刷することにより、専用ペーパーを利用した各種申込書が作成できる。利用者は電子ペン１０を使用して通常の要領で必要事項を記入すれば、その電子データが自動的に取得される。
【００４６】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４７】
なお、本明細書においては、「印刷」の語は、通常の印刷のみならず、プリンタによるプリントも含む概念とする。また、本明細書においては、通常の「オフセット印刷」は行わず、プリンタによる「プリンタ印刷」を行うものとする。
【００４８】
次に、電子ペンにより取得したデータの送信処理について図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から記入データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した記入データをそのサービスサーバ２７へ送信することになる。
【００４９】
なお、上記の例では端末装置２５、問い合わせサーバ２６及びサービスサーバ２７が別個に構成されているが、これらの幾つか又は全てを１つの装置として構成することも可能である。本実施形態において、後述するサーバは、問い合わせサーバ２６及びサービスサーバ２７を兼ねているものとする。
【００５０】
[電子ペン用帳票製造方法]
次に、本実施形態の電子ペン用帳票製造方法について説明する。図７に電子ペン用帳票製造方法を模式的に説明する図を示す。図７に示すように、予め確保しておいた大きなオリジナルドットパターンエリア６０を必要な大きさに分割し、紙媒体の帳票１枚毎に分割したドットパターンと、所定の図案とを印刷することで、電子ペン用帳票６２を製造する。例えば、図案が申込書の図案であれば、同じ図案でドットパターンが異なる申込書の電子ペン用帳票６２が複数製造される。このとき印刷は、高精度な図案を出力可能な高解像度プリンタによって行われる。つまり、オフセット印刷ではなく、プリンタによるプリンタ印刷で電子ペン用帳票６２は製造される。なお、オリジナルドットパターンエリアとは、予め決まったドットパターンで構成されており、各ドットパターンが重複することはないものである。換言すると、オリジナルドットパターンエリアは、各帳票へプリンタ印刷するドットパターンの元である。
【００５１】
このように、ドットパターンを物理的な帳票１枚毎に異なるものとすることで、電子ペン１０は各電子ペン用帳票６２をそれぞれ別のものとして認識することができる。即ち、各電子ペン用帳票６２を個別識別することが可能となる。換言すると、電子ペン１０が取得したストロークの座標データに基づいて、「電子ペン用帳票の種別（例えば、申込書）」だけでなく、「電子ペン用帳票へ記入した利用者」を自動的に識別することが可能となる。これは、病院のカルテのようにデータの混在が許されないアプリケーションや、電子ペン用帳票に記入されたデータと利用者との関連付けに多大な労力を要しているアプリケーションにとって非常に大きなメリットとなる。
【００５２】
本実施形態の電子ペン用帳票製造方法によれば、各電子ペン用帳票に印刷されたドットパターンが全て異なるため、データが混在する危険がなく、利用者がＩＤ等を記入しなくてもデータと利用者との関連付けを容易に行うことができる。また、オフセット印刷ではなく、プリンタ印刷のため、多品種小ロットや急なデザイン変更にも対応することができる。
【００５３】
なお、ドットパターンにより個別識別する対象は「電子ペン用帳票の種別」や「利用者」に限定されるものではなく「物」等であっても構わない。
【００５４】
[ドットパターンの配置方法]
次に、本実施形態のドットパターン配置方法について説明する。
【００５５】
なお、本明細書では、ドットパターンを印刷する前の紙媒体の帳票と、ドットパターンを印刷した後の帳票とを区別するため、前者を単なる「帳票」、後者を「電子ペン用帳票」と呼ぶ。
【００５６】
（i）第１配置方法
まず、第１配置方法として、全ての帳票に異なるドットパターンを配置する場合について説明する。図８に全ての帳票に異なるドットパターンを配置する方法を模式的に説明する図を示す。図８に示すように、紙媒体の帳票１枚毎に全て異なるドットパターンページを配置する。ここで、ページとは、予め定義されたドットパターンの単位であって、例えば「Ａ４」や「Ｂ５」といったサイズのドットパターンのことである。この配置方法では、図示のとおり、紙媒体の帳票のあらゆる場所に全てユニークなドットパターンを配置するため、同一種類のフォームであっても全て異なるドットパターンが配置される。帳票は複数種類のフォームを有するものであって、各帳票には予め対応するフォームが設定されているものとする。帳票に印刷される図案は、同一フォームであれば同一であり、異なるフォームであれば異なる。ドットパターンの相違は視覚で認識することが難しいため、同一フォームの電子ペン用帳票であれば、たとえドットパターンが異なるものであっても視覚で区別することは困難である。
【００５７】
これによれば、予め各帳票に利用者及びフォームを設定しておくことで、即ち、各帳票に印刷するドットパターンと利用者及びフォームとを対応付けておくことで、記入されたデータに基づいて、フォーム及び利用者を容易に識別することが可能となる。つまり、利用者が電子ペン１０を使用して電子ペン用帳票の任意の場所に記入を行うだけで、「利用者」と「フォーム」等２種類の情報を同時に識別することができる。
【００５８】
図９に個別識別システム１００の概略構成を示す。図９に示す個別識別システム１００は、利用者が電子ペン用帳票に記入した情報に基づいて、利用者やフォーム種別を識別することができるシステムである。
【００５９】
図９に示すように、個別識別システム１００は、端末装置２５及びサーバ５がネットワーク２を通じて接続されることにより構成される。ここで、ネットワーク２の１つの好適な例はインターネットである。また、端末２５とは、利用者が使用するＰＣや携帯電話といったネットワーク２を介してデータの授受が可能な端末である。なお、図９は、便宜上、１つの端末装置２５を構成要素として含むこととしているが、本発明はこれに限定されるものではなく、複数の端末装置２５を構成要素として含むこととしてもよい。
【００６０】
サーバ５は、利用者データベース（以下、「ＤＢ」と呼ぶ。）６、フォームＤＢ７及びパターンＤＢ８に接続されている。ここで、各種ＤＢについて図１０を参照して説明する。図１０（ａ）は、利用者ＤＢ６のデータ構造を模式的に示す図である。利用者ＤＢ６は、利用者ＩＤ、名前、住所等から構成されている。利用者ＩＤは各利用者を識別する情報であり、利用者ＤＢ６は、当該利用者ＩＤをキーとして各利用者の名前や住所といった情報を利用者情報として記憶している。図１０（ｂ）は、フォームＤＢ７のデータ構造を模式的に示す図である。フォームＤＢ７は、フォームＩＤ及びデザインデータから構成されている。フォームＩＤは各帳票に設定されたフォームを識別する情報であり、フォームＤＢ７は、当該フォームＩＤをキーとして各フォームに対応する図案３４のデザインデータを記憶している。図１０（ｃ）は、パターンＤＢ８のデータ構造を模式的に示す図である。パターンＤＢ８は、フォームＩＤ、利用者ＩＤ及び座標データから構成されている。座標データは、電子ペン用帳票に配置されたドットパターンを示す座標データである。なお、本明細書における座標データは、オリジナルドットパターンエリア６０上での位置座標であって、各帳票に割り当てられたドットパターン上での位置座標ではない。本実施形態では、全ての電子ペン用帳票に異なるドットパターンが配置されているので、フォームＩＤ及び利用者ＩＤの組み合わせをキーとして座標データが記憶されている。即ち、フォームＩＤが同一であっても利用者ＩＤが異なれば異なる座標データが対応付けられており、利用者ＩＤが同一であってもフォームＩＤが異なれば異なる座標データが対応付けられる。
【００６１】
上記のような個別識別システム１００において、利用者は、図８に示すような電子ペン用帳票に必要な情報の記入を行う。なお、各帳票には予め利用者が設定されているものとする。即ち、図１０（ｃ）に示すようなパターンＤＢ８において、フォーム及び利用者は予めドットパターンに対応付けられているものとする。電子ペン１０は、記入された内容に対応するストロークの座標データを取得し、電子ペン１０内のメモリに一時的に記憶した後、端末装置２５へ送信する。端末装置２５は、電子ペン１０から利用者が記入したストロークの座標データを記入情報として受信し、ネットワーク２を通じてサーバ５へ送信する。サーバ５は、記入情報に含まれる座標データに基づいて、図１０（ｃ）に示すようなパターンＤＢ８を参照することにより、フォームＩＤ及び利用者ＩＤを特定する。また、サーバ５は、特定したフォームＩＤ及び利用者ＩＤに基づいて、それぞれフォームＤＢ７及び利用者ＤＢ６を参照することにより利用者情報やデザインデータを認識することができる。
【００６２】
このように、紙媒体の帳票１枚毎に全て異なるドットパターンを配置することで、利用者が任意の場所に記入するだけで「フォーム」及び「利用者」等２種類の情報を同時に識別することが可能となる。よって、同一フォームの電子ペン用帳票に連続して記入するとき、物理的な紙媒体が変わったにもかかわらず記入者を明示的に指示しないとデータが混在してしまうといった従来の問題を解消することができる。
【００６３】
なお、ドットパターンにより個別識別する対象は「フォーム」や「利用者」に限定されるものではなく「物」等であっても構わない。
【００６４】
（ii）第２配置方法
次に、第２配置方法として、ドットパターンを任意の大きさに分割し、それぞれを各利用者ＩＤを示す利用者ドットパターンとして帳票に配置する場合について説明する。図１１に利用者ドットパターンを配置する方法を模式的に説明する図を示す。取得したドットパターンの一部を利用者エリアとし、図１１に示すように、当該利用者エリアのドットパターンを分割して各利用者を割り当てる。また、利用者エリア以外の取得したドットパターンの一部をフォームエリアとし、図１１に示すように、当該フォームエリアのドットパターンを分割して各フォームを割り当てる。なお、便宜上、利用者エリアを分割したドットパターンを利用者ドットパターン、フォームエリアを分割したドットパターンをフォームドットパターンと呼ぶ。
【００６５】
そして、図１１に示すように、予め帳票に設定された利用者及びフォームに基づいて、利用者ドットパターン及びフォームドットパターンを配置する。利用者ドットパターンに関わらず、同一フォームの帳票には同一フォームドットパターンを配置し、異なるフォームの帳票には異なるフォームドットパターンを配置する。また、フォームドットパターンに関わらず、同一利用者の帳票には同一の利用者ドットパターンを配置し、異なる利用者の帳票には異なる利用者ドットパターンを配置する。
【００６６】
これによれば、全ての帳票に異なるドットパターンを配置するのではなく、フォームが同一の帳票には同一のドットパターンを配置するため、上記（i）第１配置方法に比べてドットパターンを節約することができる。つまり、全ての帳票に異なるようなドットパターンが確保できなくても、フォームエリア及び利用者エリアが確保されていれば本発明を適用することができるため、フォームの種類や利用者数が多いときに特にメリットが大きい。また、利用者ドットパターンにより、複数の電子ペン用帳票に記入したデータを容易に利用者に関連付けることができる。即ち、複数のアプリケーションで使用しているデータを容易に利用者に関連付けることができる。
【００６７】
図９に個別識別システム１００の概略構成を示す。図９に示す個別識別システム１００は、利用者が電子ペン用帳票に記入した情報に基づいて、利用者やフォームを識別することができるシステムである。なお、個別識別システム１００の構成について、上記（i）第１配置方法と同様の部分は便宜上説明を省略する。
【００６８】
まず、サーバ５に接続されているパターンＤＢ８について図１２を参照して説明する。図１２は、パターンＤＢ８のデータ構造を模式的に示す図である。パターンＤＢ８は、フォームＩＤ、利用者ＩＤ及び座標データから構成されている。座標データは、電子ペン用帳票に配置されたドットパターンを示す座標データである。本実施形態では、電子ペン用帳票にフォームを示すフォームドットパターン及び利用者を示す利用者ドットパターンが配置されているので、フォームＩＤをキーとしてフォームドットパターンの座標データが、利用者ＩＤをキーとして利用者ドットパターンの座標データが記憶されている。
【００６９】
上記のような個別識別システム１００において、利用者は、図１１に示すような電子ペン用帳票に必要な情報の記入を行う。ここで、利用者は必ず利用者ドットパターンが配置された利用者ドットパターンエリアに記入を行わなければならない。利用者ドットパターンエリアへの記入内容は、サインやチェックマーク等、図案のデザインに応じて任意に設定することができる。電子ペン１０は、記入された内容に対応するストロークの座標データを取得し、電子ペン１０内のメモリに一時的に記憶した後、端末装置２５へ送信する。端末装置２５は、電子ペン１０から利用者が記入したストロークの座標データを記入情報として受信し、ネットワーク２を通じてサーバ５へ送信する。サーバ５は、記入情報に含まれる座標データに基づいて、図１２に示すようなパターンＤＢ８を参照することにより、フォームＩＤ及び利用者ＩＤを特定する。また、サーバ５は、特定したフォームＩＤ及び利用者ＩＤに基づいて、それぞれフォームＤＢ７及び利用者ＤＢ６を参照することにより利用者情報やデザインデータを認識することができる。
【００７０】
このように、紙媒体の帳票にフォーム及び利用者をそれぞれ示すフォームドットパターン及び利用者ドットパターンを配置することで、利用者の記入に基づいて「フォーム」及び「利用者」等２種類の情報を識別することが可能となる。
【００７１】
なお、ドットパターンにより個別識別する対象は「フォームの種別」や「利用者」に限定されるものではなく「物」等であっても構わない。また、利用者ドットパターンは、フォームドットパターンと同時に紙媒体の帳票にプリント印刷することとしてもよいし、予め他の帳票にプリント印刷しておき、フォームドットパターンがプリント印刷された電子ペン用帳票に貼付することとしてもよい。
【００７２】
（iii）第３配置方法
次に、第３配置方法として、ドットパターンを使用目的に応じた大きさに分割し、複数のドットパターンを任意の並びで組み合わせて帳票に配置する場合について説明する。図１３に複数のドットパターンを組み合わせて配置する方法を模式的に説明する図を示す。取得したドットパターンの一部を利用者エリアとし、図１３に示すように、当該利用者エリアのドットパターンを分割して各利用者に割り当てる。また、利用者エリア以外の取得したドットパターンを項目エリアとし、図１３に示すように、当該項目エリアのドットパターンを分割して各項目を割り当てる。項目とは、各電子ペン用帳票の構成要素であって、デザインデータに基づいてどの電子ペン用帳票にどの項目が含まれるか設定されている。本実施形態では、項目が所定の「問題」であるものとする。また、項目は、図１３に示すように、さらに複数のフィールドから構成されるものであって、各項目はデザインデータによってフィールド定義がなされているものとする。なお、便宜上、利用者エリアを分割したドットパターンを利用者ドットパターン、項目エリアを分割したドットパターンを項目ドットパターンと呼ぶ。
【００７３】
そして、図１３に示すように、予め帳票に設定された利用者及びデザインデータに基づいて、利用者ドットパターンと、１つ以上の項目ドットパターンとを配置する。つまり、利用者「田中」が使用する電子ペン用帳票は問題１及び２を構成要素とすることがデザインデータに設定されている場合、図示のとおり、帳票７０に利用者「田中」を示す利用者ドットパターンと、「問題１」及び「問題２」を示す項目ドットパターンとを配置する。また、利用者「鈴木」が使用する電子ペン用帳票は問題２及び３を構成要素とすることがデザインデータに設定されている場合、図示のとおり、帳票７２に利用者「鈴木」を示す利用者ドットパターンと、「問題２」及び「問題３」を示す項目ドットパターンとを配置する。
【００７４】
これによれば、各帳票において項目のレイアウトが動的に変化する場合であっても、予めフィールド定義された項目ドットパターンを任意に配置するだけで容易に対応することができる。即ち、上記（i）第１配置方法や（ii）第２配置方法と異なり、帳票毎にフィールド定義を生成しなくても容易に電子ペン用帳票を製造することができる。換言すると、上記（i）第１配置方法や（ii）配置方法の場合、帳票毎にデザインデータに従ってフィールド定義を生成しなければならない。よって、本実施形態によれば、頻繁なデザイン変更や多品種小ロットへの対応を容易に行うことができる。また、利用者に応じた項目で構成される電子ペン用帳票を容易に製造することができる。
【００７５】
なお、本実施形態では、物理的な帳票７０に項目ドットパターンが配置された項目ドットパターンエリアに記入した場合であっても、電子ペン１０は、論理的な項目エリア内の項目ドットパターンエリアに記入されたものとして認識する。
【００７６】
図９に個別識別システム１００の概略構成を示す。図９に示す個別識別システム１００は、利用者が電子ペン用帳票に記入した情報に基づいて、利用者や項目を識別することができるシステムである。なお、個別識別システム１００の構成について、上記（i）第１配置方法と同様の部分は便宜上説明を省略する。また、第３配置方法においてサーバ５は、フォームＤＢ８の代わりに帳票ＤＢに接続されているものとする。
【００７７】
まず、サーバ５に接続されている帳票ＤＢについて図１４（ａ）を参照して説明する。図１４（ａ）は、帳票ＤＢのデータ構造を模式的に示す図である。帳票ＤＢは、帳票ＩＤ及びデザインデータから構成されている。帳票ＩＤは各電子ペン用帳票を識別する情報であり、当該帳票ＩＤをキーとしてデザインデータが記憶されている。ここで、デザインデータは、各帳票を構成する項目に関する情報を有している。また、デザインデータは、各項目のフィールド定義を有している。
【００７８】
次に、サーバに接続されているパターンＤＢ８について図１４（ｂ）を参照して説明する。図１４（ｂ）は、パターンＤＢ８のデータ構造を模式的に示す図である。パターンＤＢ８は、項目ＩＤ、利用者ＩＤ及び座標データから構成されている。座標データは、電子ペン用帳票に配置されたドットパターンを示す座標データである。本実施形態では、電子ペン用帳票に項目を示す項目ドットパターン及び利用者を示す利用者ドットパターンが配置されているので、項目ＩＤをキーとして項目ドットパターンの座標データが、利用者ＩＤをキーとして利用者ドットパターンの座標データが記憶されている。
【００７９】
上記のような個別識別システム１００において、利用者は、図１３に示すような電子ペン用帳票に必要な情報の記入を行う。つまり、利用者は、利用者ドットパターンが配置された利用者ドットパターンエリアと、項目ドットパターンが配置された項目ドットパターンエリアに記入を行う。電子ペン１０は、記入された内容に対応するストロークの座標データを取得し、電子ペン１０内のメモリに一時的に記憶した後、端末装置２５へ送信する。端末装置２５は、電子ペン１０から利用者が記入したストロークの座標データを記入情報として受信し、ネットワーク２を通じてサーバ５へ送信する。サーバ５は、記入情報に含まれる座標データに基づいて、図１４（ｂ）に示すようなパターンＤＢ８を参照することにより、項目ＩＤ及び利用者ＩＤを特定することができる。また、特定した利用者ＩＤに基づいて利用者ＤＢ６を参照することにより利用者情報やデザインデータを認識することができる。
【００８０】
このように、紙媒体の帳票に項目及び利用者をそれぞれ示す項目ドットパターン及び利用者ドットパターンを配置することで、利用者の記入に基づいて「項目」及び「利用者」等の情報を識別することが可能となる。よって、帳票内で項目のレイアウトが動的に変化する場合であっても、任意の項目ドットパターンを配置することで容易に電子ペン用帳票を製造することができる。また、予めフィールド定義された項目ドットパターンを配置することで、帳票毎にフィールド定義をする手間を省くことができる。
【００８１】
なお、上記（i）乃至（iii）の配置方法により配置されたドットパターンをプリンタ印刷することで、電子ペン用帳票を製造することができる。
【００８２】
また、ドットパターンにより個別識別する対象は「フォームの種別」や「利用者」に限定されるものではなく「物」等であっても構わない。
【００８３】
また、上記（i）乃至（iii）の配置方法は、フォームや利用者等ユニークにする対象の数によって任意に使い分けることができる。
【００８４】
本実施形態によれば、帳票１枚毎を個別に識別できるようになるため、データの混在を防止することができる。さらに、ドットパターンをＩＤとして利用することにより、データ記入者等の関連付けを確実に行うことができる。また、上記（ii）第２配置方法及び（iii）第３配置方法によれば、ドットパターンを効率的に使用することができる。さらに、上記（iii）第３配置方法によれば、予めフィールド定義されたドットパターンを組み合わせて帳票に配置することにより、毎回フィールド定義を行う手間を省くことができる。
【産業上の利用可能性】
【００８５】
このように、本実施形態によれば、１枚毎に個別識別可能な電子ペン用帳票の製造方法を提供することができる。
【図面の簡単な説明】
【００８６】
【図１】電子ペンの使用形態を模式的に示す図である。
【図２】電子ペンの構造を示す機能ブロック図である。
【図３】専用ペーパーに印刷されたドットパターンによる情報の表現方法を説明する図である。
【図４】ドットパターン及びそれに対応する情報の例である。
【図５】専用ペーパーにより構成される帳票の構造を示す。
【図６】電子ペン用帳票の例を示す。
【図７】電子ペン用帳票製造方法を模式的に説明する図を示す。
【図８】全ての帳票に異なるドットパターンを配置する方法を模式的に説明する図を示す。
【図９】個別識別システムの概略構成を示す。
【図１０】各種ＤＢのデータ構造を模式的に示す図である。
【図１１】利用者ドットパターンを配置する方法を模式的に説明する図を示す。
【図１２】パターンＤＢのデータ構造を模式的に示す図である。
【図１３】複数のドットパターンを組み合わせて配置する方法を模式的に説明する図を示す。
【図１４】帳票ＤＢ及びパターンＤＢのデータ構造を模式的に示す図である。
【符号の説明】
【００８７】
２…ネットワーク
１０…電子ペン
１１…プロセッサ
１２…メモリ
１３…データ通信ユニット
１４…バッテリー
２５…端末装置
２６…問い合わせサーバ
２７…サービスサーバ
１００…個別識別システム
【図１】
0004752565.tif 000002
【図２】
0004752565.tif 000003
【図３】
0004752565.tif 000004
【図４】
0004752565.tif 000005
【図５】
0004752565.tif 000006
【図６】
0004752565.tif 000007
【図７】
0004752565.tif 000008
【図８】
0004752565.tif 000009
【図９】
0004752565.tif 000010
【図１０】
0004752565.tif 000011
【図１１】
0004752565.tif 000012
【図１２】
0004752565.tif 000013
【図１３】
0004752565.tif 000014
【図１４】
0004752565.tif 000015